(57)【要約】  本発明は、容器本体開口部（４）を取り囲む平坦な上縁部（３）を有する、圧搾可能な容器本体（２）を備える、流動可能な食品のための熱成形された容器（１）において、（i）上記容器本体（２）は、少なくとも軸方向および横方向の両方において圧搾可能であり、容器本体の容積が、手で圧力を加えることにより、または収容されている製品を絞り出すことにより、少なくとも８５％、好ましくは少なくとも９５％低減されることができるようにされており、かつ（ii）上記上縁部（３）は、堅固であり、かつ容器本体（２）の開口部（４）と連続している分配用注ぎ口（５）を備え、上記開口部（４）は、上記上縁部（３）上に封着されている少なくとも１枚の一次膜（６）によって閉鎖されていることを特徴とする、容器に関する。【選択図】  図１
2008539704.tif 000002
【特許請求の範囲】
【請求項１】
平坦な上縁部（３）を有する圧搾可能な容器本体（２）と、容器本体開口部（４）とを備える、流動可能な食品のための熱成形された容器（１）において、
（i）前記容器本体（２）が、少なくとも軸方向および横方向の両方において圧搾可能であり、前記容器本体の容積が、手で圧力を加えることにより、少なくとも８５％、好ましくは少なくとも９５％低減されることができるようにされており、かつ
（ii）前記上縁部（３）が、堅固であり、かつ前記容器本体（２）と連続している分配用注ぎ口（５）を備え、前記開口部（４）が、前記上縁部（３）上に封着されている少なくとも１枚の一次膜（６）によって閉鎖されていることを特徴とする容器。
【請求項２】
前記少なくとも１枚の一次膜（６）が、前記上縁部（３）上に封着されており、かつ前記膜（６）の注ぎ口領域に位置する分配用穴部（７）を備え、
前記分配用穴部（７）が、前記一次膜（６）上に封着されている剥離可能な二次膜（８）によって閉鎖されている、請求項１に記載の容器（１）。
【請求項３】
前記分配用穴部（７）が、１〜１５ｍｍ、好ましくは２〜８ｍｍの範囲で構成された直径を有する、請求項２に記載の容器（１）。
【請求項４】
前記一次膜（６）が、
前記平坦な上縁部（３）上に固定される方法で封着されている、前記容器本体（２）の前記開口部（４）を閉鎖している第１の部分（７）と、
前記平坦な上縁部（３）上に剥離可能な方法で封着されている、前記分配用注ぎ口（５）を閉鎖している第２の部分（８）と、
を備える、請求項１に記載の容器（１）。
【請求項５】
前記閉鎖膜（６）の前記剥離可能な部分が、前記膜の残部の上に折り重ねられることができる、請求項４に記載の容器（１）。
【請求項６】
前記膜（６）が、
前記上縁部（３）上に封着されている、前記容器本体（２）の前記開口部（４）を閉鎖している第１の部分（７）と、
前記分配用注ぎ口（５）を閉鎖している第２の部分（８）と
を備え、
両部分（７、８）が、剥離可能な方法で封着されている、請求項１に記載の容器（１）。
【請求項７】
前記一次膜（６）が、少なくとも１枚の封着層と１つのアルミニウムとを備える複合箔である、請求項１〜６のいずれか一項に記載の容器（１）。
【請求項８】
前記上縁部（３）が水平なリングである、請求項１〜７のいずれか一項に記載の容器（１）。
【請求項９】
前記分配用注ぎ口（５）が、溝開口部を画成し、かつ１０ｍｍ未満の幅と１０ｍｍ未満の高さとを有する、請求項１〜８のいずれか一項に記載の容器（１）。
【請求項１０】
前記容器本体（２）が、ポリスチレン、ポリ乳酸、ポリエチレンテレフタレート（ＰＥＴ）、ポリエチレン、ポリプロピレン、またはこれらの組み合わせ、からなる群から選ばれる熱可塑性材料から作成される、請求項１〜９のいずれか一項に記載の容器（１）。
【請求項１１】
前記流動可能な製品が、冷凍された乳製品、冷却された乳製品または保存性のある乳製品である、請求項１〜１０のいずれか一項に記載の容器（１）。
【発明の詳細な説明】
【発明の詳細な説明】
【０００１】
本発明は、主に冷却した乳製品、半液体物またはペースト状製品を収容しかつ分配するための、圧搾可能な容器に関する。
【０００２】
食品の分野においては、冷却した乳製品を分配又は収容するための容器が公知である。これらの容器は、典型的に、剥離可能な膜によって閉鎖されている熱成形されたポットからなる。これらのポットは、たとえばヨーグルトなどのために広く使用されている。
【０００３】
しかし、全ての公知の容器は、消費される製品の１回分の量にかかわりなく、製品を分配かつ消費するためには、それらの容器では、たとえばスプーン、ストロー、コップなどの道具を使用しなければならないようになっている。
【０００４】
したがって、製造が安価であり、かつ道具の使用を必要とせず、便利かつ衛生的なやり方で、包装から直接消費できるようにする、たとえば冷却した酪農製品などの流動可能な食品のための容器が必要とされている。
【０００５】
本発明は、平坦な上縁部を有する圧搾可能な容器本体と、容器本体開口部とを備える、流動可能な食品のための熱成形された容器であって、
（i）上記容器本体は、少なくとも軸方向および横方向の両方において圧搾可能であり、容器本体の容積が、手で圧力を加えることにより、少なくとも８５％、好ましくは少なくとも９５％低減されることができるようにされており、かつ
（ii）上記上縁部は、堅固であり、かつ容器本体と連続している分配用注ぎ口を備え、上記開口部は、上記上縁部上に封着されている少なくとも１枚の一次膜によって閉鎖されていること
を特徴とする容器により、上述した問題に対処するものである。
【０００６】
本発明の構造についての上述の説明から理解され得るように、この容器は、特に若い消費者が、移動しながら製品を消費するための、便利かつ使い勝手が良い包装構造を提供する。「軸方向および横方向の両方において圧搾可能である」ということは、容器本体は、１方向だけでなく、少なくとも２方向において圧搾可能であり、そのために、容器容積を最大に圧縮させることができ、その結果、消費者が容器内容物を完全かつ能率的に分配することができることを意味する。好ましい一選択においては、容器本体は、２方向（軸方向および横方向）だけでなく、多方向にも圧搾可能でさえある。
【０００７】
軸方向というのは、容器の開口部が上方に持ち上げられる時の鉛直軸を意味する。横方向というのは、軸方向に対して垂直な平面に含まれる任意の方向を意味する。
【０００８】
容器本体を閉鎖する一次膜を開けた後、消費者は、容器の外へ製品を押出すために容器本体を圧搾する。圧搾する前に、消費者は、注ぎ口を口に入れ、容器本体が圧搾された時に分配された製品が口に流れ込むようにする。したがって、容器から製品を分配するための、スプーンのような道具が必要でない。消費の後、容器は、一体のままで残っており、極めて容易に廃棄され得る。
【０００９】
本発明の第１の実施形態において、上記少なくとも１枚の一次膜は、上縁部上に封着されることができ、かつ上記膜の注ぎ口領域に位置する分配用穴部を備え、上記分配用穴部は、一次膜上に封着された剥離可能な二次膜によって閉鎖されている。
【００１０】
好ましくは、上記分配用穴部は、１〜１５ｍｍ、好ましくは２〜８ｍｍの範囲で構成された直径を有する。
【００１１】
本発明の第２の実施形態において、上記一次膜は、平坦な上縁部上に固定される方法で封着されている、容器本体の開口部を閉鎖している第１の部分と、平坦な上縁部上に剥離可能な方法で封着されている、分配用注ぎ口を閉鎖している第２の部分と、を備えることができる。
【００１２】
好ましくは、閉鎖膜の剥離可能な部分は、衛生的な仕方で容器から直接の消費ができるように、膜の残部の上に折り重ねられることができる。
【００１３】
本発明の第３の実施形態において、上記膜は、上縁部上に封着されている容器本体の開口部を閉鎖している第１の部分と、分配用注ぎ口を閉鎖している第２の部分とを備えることができ、両部分は、剥離可能な方法で封着されている。
【００１４】
全ての場合において、好ましくは、一次膜は、少なくとも１枚の封着層と、１つのアルミニウムまたは１つのポリエステルとを備える複合箔である。
【００１５】
また、好ましくは、平坦な上縁部は、水平なリングである。
【００１６】
上記分配用注ぎ口は、好都合に、溝開口部を画成することができ、かつ１０ｍｍ未満の幅と１０ｍｍ未満の高さとを有する。
【００１７】
本発明の好ましい実施形態において、容器本体は、ポリスチレン、ポリ乳酸、ポリエチレンテレフタレート（ＰＥＴ）、ポリエチレン、ポリプロピレン、またはこれらの組み合わせ、からなる群から選ばれる熱可塑性材料から作成される。
【００１８】
全ての場合において、本発明の容器に収容されうる流動可能な製品は、好ましくは冷凍された、冷却された、または保存性のある酪農製品である。
【００１９】
本発明の更なる特徴および利点は、図面を参照しながら以下の詳細な記述において提示される、特定の一実施形態の記述において、記述されかつ明らかにされる。
【００２０】
図面、特に図１および図２から分かるように、容器１の形状は、全体としてイチゴの形状である。しかし、熱成形工程によって他の形状も得られることができることを理解されたい。
【００２１】
本発明によれば、容器本体２は、容器本体の容積は、手で圧力を加えることにより、少なくとも９５％低減され得るように、軸方向および横方向の両方において圧搾可能である。
【００２２】
また、本発明によれば、たとえば図３に示されるように、容器本体２の上部に位置し、かつ容器本体開口部４（開口部４は、図中、点線によって画成されている）を取り囲んでいる、平坦な上縁部３は、容器本体２に連続している分配用注ぎ口５を備える。
【００２３】
図１に示される、本発明の第１の可能な実施形態において、容器本体２の開口部４および分配用注ぎ口５は、一次膜６によって閉鎖されている。この一次膜６は、上縁部３の材料に適合できる封着層を備え、アルミニウムおよびプラスチックを備える、複合箔である。
【００２４】
図１に示すように、上記一次膜６は、上縁部３上に固定される方法で封着され、かつ上記一次膜の注ぎ口領域に分配用穴部７を備える。図１に示すように、の剥離可能な二次膜８は、上記一次膜６の上に取り外し可能に付着されている。図２に例示するように、上記二次膜８は、一次膜から容易に剥離されることができ、その結果、分配用穴部７を開け、収容されている製品を分配することができるようになっている。
【００２５】
図２、図３および図４から分かるように、注ぎ口５は、全体として溝開口部を画成し、１０ｍｍ未満の幅と１０ｍｍ未満の高さとを有する。注ぎ口の長さおよび溝の長さは、膜が充分な非封着表面を有することができ、その結果、消費の前に、引き剥し（ｔｅａｒ  ｏｐｅｎ）用ストリップとして非封着表面を使用し、膜を注ぎ口から剥がせるように、決定される。
【００２６】
図４に示すように、一次膜を、容器本体上縁部から完全に取り除かれなければならない場合、一次膜は、剥離可能な方法で封着されることができ、かつ一次膜の形状は、上記一次膜の注ぎ口部分９が、上縁部３の注ぎ口領域から突出するように、作成され得る。
【００２７】
詳細に上述した好ましい実施形態に対する様々な変更及び改造が、当業者に明らかであることを理解されたい。そのような変更及び改造は、本発明の精神および範囲から逸脱することなく、かつ本発明に付随する利点を減弱させることなく、なされ得る。したがって、そのような変更及び改造は、添付の特許請求の範囲によってカバーされるものとする。
【図面の簡単な説明】
【００２８】
【図１】の剥離可能な二次膜によって閉鎖されている一次閉鎖膜を有する、容器の斜視上面図である。
【図２】二次膜が開けられた構成における、図１の容器の斜視上面図である。
【図３】閉鎖された構成における容器の側面図である。
【図４】閉鎖された構成における容器の斜視底面図である。
【図１】
2008539704.tif 000003
【図２】
2008539704.tif 000004
【図３】
2008539704.tif 000005
【図４】
2008539704.tif 000006
【国際調査報告】
2008539704.tif 000007
2008539704.tif 000008